(57)【要約】【課題】交換作業に従事する作業者の負担の低減を図るとともに、当該交換作業に際しての安全性の向上を図ること。【解決手段】電源に接続される第１の端子と負荷に接続される第２の端子との間に設けられ、電源から負荷に流れた電流に基づいて電力量の積算値を計量する計量部と、第１の端子および第２の端子に対応づけてそれぞれ設けられ、第１の端子および第２の端子に接続される電線４０２を、当該電線４０２が第１の端子および第２の端子に接触した状態で固定する端子ネジ２０１と、を備えた電力量計１００における端子ネジ２０１を、非導電性材料を用いて形成した。【選択図】図５
2011226890.tif 000002
【特許請求の範囲】
【請求項１】
電源に接続される第１の端子と、
負荷に接続される第２の端子と、
前記第１の端子と前記第２の端子との間に設けられ、前記電源から前記負荷に流れた電流に基づいて電力量の積算値を計量する計量部と、
前記第１の端子および前記第２の端子に対応づけてそれぞれ設けられ、前記第１の端子および前記第２の端子に接続される電線を、当該電線が前記第１の端子および前記第２の端子に接触した状態で固定するネジと、
を備え、
前記ネジは、非導電性材料を用いて形成されていることを特徴とする電力量計。
【請求項２】
前記ネジは、セラミック材料を用いて形成されていることを特徴とする請求項１に記載の電力量計。
【請求項３】
前記電線の挿入が可能な複数の凹部が設けられた端子ボックスを備え、
前記第１の端子および前記第２の端子は、前記凹部内に設けられ、
前記ネジは、先端が凹部内に位置づけられるように前記電線の挿入方向に交差する方向から前記端子ボックスに螺合されていることを特徴とする請求項１または２に記載の電力量計。
【請求項４】
前記ネジの先端と前記電線との間に設けられ、導電性材料を用いて形成された電線押さえ部材を備え、
前記ネジは、締め付けられることによって前記電線押さえ部材が前記電線に当接する方向に当該電線押さえ部材を付勢することを特徴とする請求項１〜３のいずれか一つに記載の電力量計。
【請求項５】
前記電線押さえ部材は、前記電線の外周形状に沿って湾曲した湾曲面を備え、当該湾曲面を前記電線に対向させた状態で設けられていることを特徴とする請求項４に記載の電力量計。
【発明の詳細な説明】
【技術分野】
【０００１】
この発明は、電力を積算し計量する電力量計に関する。
【背景技術】
【０００２】
電力量計は、当該電力量計を通過した電力の量を計量する電気計器であって、メーターなどと称されている。このような電力量計は、電力量計を通過した電力の量の計量に加えて、電力量計の端子を用いて電圧測定や屋内電気配線の絶縁抵抗値の測定などの各種の測定作業に用いられることがある。
【０００３】
電力量計は、電源供給側に接続される電線や負荷側に接続される電線などが接続される端子を備えている。この端子は、電力量計が備える端子ボックスのケースに収容されている。電力量計においては、上記の電線が端子ボックス内に挿入された状態で、ケースに設けられた黄銅製の端子ねじを締め込むことによって、これらの電線と端子とを接続する構成とされていた。また、電力量計においては、黄銅製の端子ねじを緩めることによって、電力量計に接続された電線を取り外すことができる。
【０００４】
従来、このような電力量計に対する電線の接続や取り外し作業は、たとえば、電力量計の新設時、電力量計の交換時、電気契約の廃止時などにおこなわれる。また、従来、このような電力量計に対する電線の接続や取り外し作業および電圧測定や屋内電気配線の絶縁抵抗値の測定などの測定作業などの各種作業は、そのほとんどが、電気が通電した状態（停電なし）の活線作業によって実施されている。
【０００５】
具体的には、たとえば、一端に複数の入力端子と複数の出力端子とを備え、この表面を覆っている危険防止カバーを除去すると、これらの各端子を露出させることができる構造とした電力量計を対象として使用する工具であって、全体を絶縁構造とした横長の容器本体の内部に導電体製の２つのバイパス金具を互いに非接触状態に収容し、これら両金具のそれぞれに電力量計における入力端子の一つと出力端子の一つとに接触させる接触ピンを連結し、その先端部を容器本体の背面側に突出させ、該容器本体の長手方向両端近く部分に固定用ピン穴を形成した技術があった（たとえば、下記特許文献１を参照。）。
【先行技術文献】
【特許文献】
【０００６】
【特許文献１】特開２００９−１５０７５３号公報
【発明の概要】
【発明が解決しようとする課題】
【０００７】
しかしながら、上述した従来の技術は、ケースに設けられた黄銅製の端子ねじを締め込んだり緩めたりすることによって電力量計に対する各種作業をおこなっていたため、当該端子ねじを介して端子どうしが短絡することがあるという問題があった。端子どうしが短絡した場合、アークが発生して電力量計が破損したり、発生したアークによって作業者が火傷するなど安全性に劣るという問題があった。
【０００８】
電力量計に対する各種作業の回数（頻度）は、電力量計の設置数が多いほど多くなる。既設の電力量計の設置数は膨大であるため電力量計に対する各種作業の回数（頻度）も多くなる傾向にあり、各種作業の回数（頻度）が多くなることにともなって上述した短絡による電力量計の破損などが発生する回数（頻度）が増加するという問題があった。
【０００９】
この対策として、上記の各種作業に際しての短絡事故を防止するために、実際の現場においては、たとえば、電力量計における端子部分を絶縁性保護具（防具）で覆った状態で端子ねじを回すなどの対策が取られているが、このような対策をおこなうことによって電力量計に対する各種の作業が煩雑となり、作業に長い時間を費やすという問題があった。
【００１０】
さらに、電力量計においては黄銅製の端子ねじが外部に露出した構成であるため、上記のように各種作業を絶縁性保護具を用いておこなった場合にも、作業者の人為的ミスなどによって誤って短絡事故が発生することがあるという問題があった。
【００１１】
電力量計における端子部分を短絡させた場合、端子ねじや電力量計本体が破損するため、電力量計自体の交換が必要となる。この場合、破損した電力量計の取り外し作業や、交換する新規の電力量計の取り付け作業が、本来の業務とは別に追加される。このために、破損した電力量計の交換作業にかかる作業者の人件費や電力量計にかかる設備費などが不必要に多くかかってしまうという問題があった。
【００１２】
この発明は、上述した従来技術による問題点を解消するため、交換作業に従事する作業者の負担の低減を図るとともに、当該交換作業に際しての安全性の向上を図ることができる電力量計を提供することを目的とする。
【課題を解決するための手段】
【００１３】
上述した課題を解決し、目的を達成するため、この発明にかかる電力量計は、電源に接続される第１の端子と、負荷に接続される第２の端子と、前記第１の端子と前記第２の端子との間に設けられ、前記電源から前記負荷に流れた電流に基づいて電力量の積算値を計量する計量部と、前記第１の端子および前記第２の端子に対応づけてそれぞれ設けられ、前記第１の端子および前記第２の端子に接続される電線を、当該電線が前記第１の端子および前記第２の端子に接触した状態で固定するネジと、を備え、前記ネジが、非導電性材料を用いて形成されていることを特徴とする。
【００１４】
また、この発明にかかる電力量計は、上記の発明において、前記ネジが、セラミック材料を用いて形成されていることを特徴とする。
【００１５】
また、この発明にかかる電力量計は、上記の発明において、前記電線の挿入が可能な複数の凹部が設けられた端子ボックスを備え、前記第１の端子および前記第２の端子は、前記凹部内に設けられ、前記ネジは、先端が凹部内に位置づけられるように前記電線の挿入方向に交差する方向から前記端子ボックスに螺合されていることを特徴とする。
【００１６】
また、この発明にかかる電力量計は、上記の発明において、前記ネジの先端と前記電線との間に設けられ、導電性材料を用いて形成された電線押さえ部材を備え、前記ネジが、締め付けられることによって前記電線押さえ部材が前記電線に当接する方向に当該電線押さえ部材を付勢することを特徴とする。
【００１７】
また、この発明にかかる電力量計は、上記の発明において、前記電線押さえ部材が、前記電線の外周形状に沿って湾曲した湾曲面を備え、当該湾曲面を前記電線に対向させた状態で設けられていることを特徴とする。
【発明の効果】
【００１８】
この発明にかかる電力量計によれば、交換作業に従事する作業者の負担の低減を図るとともに、当該交換作業に際しての安全性の向上を図ることができるという効果を奏する。
【図面の簡単な説明】
【００１９】
【図１】この発明にかかる実施の形態の電力量計の外観を示す説明図である。
【図２】接続端子台の外観構造を示す説明図である。
【図３】接続端子台の内部構造を示す説明図である。
【図４】従来の電力量計の一例を示す説明図である。
【図５】この発明にかかる実施の形態の電力量計に対する電線の接続方法を示す説明図である。
【発明を実施するための形態】
【００２０】
以下に添付図面を参照して、この発明にかかる電力量計の好適な実施の形態を詳細に説明する。
【００２１】
（実施の形態）
（電力量計の外観）
まず、この発明にかかる実施の形態の電力量計の外観について説明する。この発明にかかる実施の形態の電力量計は、誘導型電力量計であってもよいし、電子式電力量計であってもよく、電力量の計量にかかる構成については特に限定するものではない。図１は、この発明にかかる実施の形態の電力量計の外観を示す説明図である。図１においては、この発明にかかる実施の形態の電力量計を、正面側から見た状態における外観を示している。
【００２２】
図１において、この発明にかかる実施の形態の電力量計１００は、本体部１１０と接続端子台１２０とを備えている。本体部１１０は、箱状の筐体１１１を備えている。筐体１１１の正面側には、電力量計１００の内部を確認できる窓部１１２が設けられている。筐体１１１の内側には、計量部および表示部が設けられている。
【００２３】
計量部は、電力量計１００に供給された電力量の積算値を計量する。表示部は、計量部が計量した電力量の積算値に関する情報を表示する。表示部における表示内容は、電力量計１００を正面から見た場合に、窓部１１２を介して電力量計１００の外側から視認することができる。計量部の構成は、この発明にかかる実施の形態の電力量計１００が、たとえば誘導型電力量計であるか、電子式電力量計であるかに応じて異なる。
【００２４】
この発明にかかる実施の形態の電力量計１００が、たとえば誘導型電力量計である場合、計量部は、金属材料を用いて形成された回転円盤部材と、電圧コイルと、電流コイルと、を備える。回転円盤部材は、金属材料を用いて円板形状に形成され、円板形状の中心に設けられた回動軸を回動中心として回動可能に設けられている。
【００２５】
電圧コイルは、回転円盤部材の一面側に設けられて、磁心が回転円盤部材の回動中心に一致するように配置されている。電流コイルは、回転円盤部材の他面側に設けられて、磁心が回転円盤部材の回動中心に一致するように配置されている。
【００２６】
計量部においては、電力量計１００に対して電力が供給されると、電圧コイルに加わる電圧および電流コイルに加わる電流に基づいて、電圧コイルと電流コイルとの間で回転円盤部材を貫くような磁束が発生する。この磁束は、回転円盤部材の回動中心の回りを移動し、この磁束の移動によって回転磁界を発生させる。
【００２７】
回転円盤部材は、この回転磁界を利用して得られる回転トルクによって回転する。誘導型電力量計における計量部は、回転円盤部材の回転量に基づいて、電力量計１００に供給された電力量の積算値を計量する。回転トルクは、電力に比例している。誘導型電力量計における計量部の構成については、公知の技術であるため説明を省略する。
【００２８】
また、この発明にかかる実施の形態の電力量計１００が、たとえば電子式電力量計である場合、計量部は、電力量計１００に対して供給された電力に基づいて、電圧と電流との乗算をおこない、乗算結果を積分することによって電力量計１００に供給された電力量の積算値を計量する。電子式電力量計における計量部は、入力変換部と乗算処理部と分周回路部とを備えている。
【００２９】
入力変換部は、供給された電力における電圧レベルおよび電流レベルを、第１の端子および第２の端子間に構成される電子回路の電圧レベルおよび電流レベルに変換する。乗算処理部は、入力変換部によって変換された電圧レベルおよび電流レベルに基づいた乗算処理によって、供給された電力量に比例したパルス信号を生成する。分周回路部は、乗算処理部が生成したパルス信号のクロック周波数を当該クロック周波数よりも低い所定のクロック周波数に変換する。このような計量部は、分周回路部が所定のクロック周波数に変換したパルス信号に基づく積分処理をおこなって電力量の積算値を計量する。
【００３０】
電子式電力量計における計量部は、乗算に際して、パルス幅変調をおこなう時分割乗算方式(アナログ乗算）や、ΔΣ・Ａ／Ｄ変換乗算方式(デジタル乗算）などの乗算方式を用いて電力量の積算量を計量する。時分割乗算方式(アナログ乗算）およびΔΣ・Ａ／Ｄ変換乗算方式(デジタル乗算）、電子式電力量計における計量部の構成については、公知の各種技術を用いて容易に実現可能であるため説明を省略する。
【００３１】
表示部は、表示画面を備え、当該表示画面を制御して、計量部が計量した電力量の積算値に関する情報を表示する。具体的には、表示部は、計量部が計量した電力量の積算値を示す数値を表示する。表示部は、たとえば０〜９までの数字が振られた、複数桁分のリールを用いて形成される表示画面に、数字によって示す現字形とすることができる。また、表示部は、計量された電力量の積算値を、たとえば指針によって表示する指針形であってもよい。また、表示部は、たとえば液晶ディスプレイなどを用いて表示される０〜９までの複数桁の数字によって、電力量の積算値を示すものであってもよい。
【００３２】
（接続端子台１２０の外観構造）
つぎに、接続端子台１２０の外観構造について説明する。図２は、接続端子台１２０の外観構造を示す説明図である。図２において、接続端子台１２０は、第１の端子１Ｓ、２Ｓ、３Ｓと第２の端子１Ｌ、２Ｌ、３Ｌとを備えている。この実施の形態においては、第１の端子１Ｓ、２Ｓ、３Ｓおよび第２の端子１Ｌ、２Ｌ、３Ｌ、ともに３つずつ設けられている。
【００３３】
第１の端子１Ｓ、２Ｓ、３Ｓは、それぞれ、電源に接続される。電源は電力量計１００に対する電力の供給元であり、この実施の形態における第１の端子１Ｓ、２Ｓ、３Ｓは、発電所ないし送電線に繋がる配電線に接続されている。第２の端子１Ｌ、２Ｌ、３Ｌは、それぞれ、負荷に接続される。負荷は、電力量計１００を通過した電力を使用する電気機器あるいは電気を使用する設備とすることができる。
【００３４】
電力量計１００の内部においては、電力量計１００の設置時において電源側とされる第１の端子１Ｓ、２Ｓ、３Ｓと、電力量計１００の設置時において負荷側とされる第２の端子１Ｌ、２Ｌ、３Ｌと、の間に、計量部が設けられている。第１の端子１Ｓ、２Ｓ、３Ｓと第２の端子１Ｌ、２Ｌ、３Ｌとは、それぞれ、計量部を介して電気的に接続されている。
【００３５】
計量部は、電源側から供給され、電力量計１００を介して負荷側に供給された電力量を計量する。計量部は、電力量計１００が誘導型電力量計であるか電子式電力量計であるかによって計量方法が異なるが、いずれの場合も電力量計１００に供給された電力における電圧値および電流値に基づいて電力量を計量することができる。
【００３６】
電力量計１００は、通信端子を備えていてもよい。通信端子は、一定の電力量に達するごとにパルス信号を送信するために設けられた端子であって、この通信端子を設けることにより電力量を遠隔地でも確認することが可能とされている。通信端子のそれぞれには、ネジなどを用いて通信線を固定する。電力量計１００における通信端子および当該通信端子を用いた通信方法については、公知の各種技術を用いて容易に実現可能であるため、説明を省略する。
【００３７】
（接続端子台１２０の内部構造）
つぎに、接続端子台１２０の内部構造について説明する。図３は、接続端子台１２０の内部構造を示す説明図である。図３においては、図２におけるＡ−Ａ断面を示している。この実施の形態においては、第２の端子３Ｌのみを図示しており、電力量計１００が備えるその他の端子（第１の端子１Ｓ、２Ｓ、３Ｓおよび第２の端子１Ｌ、２Ｌ）の構造は、第２の端子３Ｌの構造と同様であるため図示を省略する。
【００３８】
図３において、接続端子台１２０が備える第１の端子１Ｓ、２Ｓ、３Ｓのそれぞれには、電源側の電線を端子ネジ２０１によって固定することができる。また、接続端子台１２０が備える第２の端子１Ｌ、２Ｌ、３Ｌのそれぞれには、負荷側に接続された電線を端子ネジ２０１によって固定することができる。
【００３９】
端子ネジ２０１は、端子ボックス（端子台カバー）３０１に設けられたネジ孔３０２に螺合されている。ネジ孔３０２は、端子ボックス３０１の厚み方向に沿って、当該端子ボックス３０１を貫通している。接続端子台１２０は、電線が挿入される電線挿入部３０３を備えている。電線挿入部３０３は、電線の直径よりも大きい開口径の開口部３０３ａと、電線挿入部３０３内に挿入された電線を収容する電線挿入用孔部３０３ｂと、を備えている。
【００４０】
電線挿入部３０３は、第１の端子１Ｓ、２Ｓ、３Ｓおよび第２の端子１Ｌ、２Ｌ、３Ｌごとに、それぞれ設けられており、各電線挿入部３０３における電線挿入用孔部３０３ｂどうしは絶縁されている。上記の端子ネジ２０１は、ネジ孔３０２に螺合されることによって端子ボックス３０１を貫通し、先端が電線挿入部３０３における電線挿入用孔部３０３ｂ内に位置づけられる。
【００４１】
電線挿入用孔部３０３ｂの内側には、黄銅製のリング状部材３０４が設けられている。これにより、電線挿入用孔部３０３ｂの内側（内周面）は、導電性を有している。黄銅製のリング状部材３０４は、ネジ孔３０２において、端子ネジ２０１の貫通を許容する孔（符号を省略する）を備えている。
【００４２】
電線挿入用孔部３０３ｂには、電線押さえ金具３０５が設けられている。この実施の形態においては、電線押さえ金具３０５によって電線押さえ部材を実現することができる。電線押さえ金具３０５は、金属材料など、導電性を有する材料を用いて形成され、平板形状をなしている。
【００４３】
電線押さえ金具３０５は、電線挿入用孔部３０３ｂに挿入される電線の外周面に沿って、湾曲していることが好ましい。電線押さえ金具３０５は、電線挿入用孔部３０３ｂ内において、端子ボックス３０１に対する端子ネジ２０１の螺合方向（図３における紙面上下方向）に沿って移動可能とされている。
【００４４】
電線押さえ金具３０５は、電線挿入用孔部３０３ｂ内において、当該電線挿入用孔部３０３ｂ内に挿入される電線に一面側を対向させ、ネジ孔３０２に螺合された端子ネジ２０１の先端に他面側を対向させた状態で設けられている。電線挿入用孔部３０３ｂ内に電線が挿入された状態において、ネジ孔３０２に螺合された端子ネジ２０１が締め込まれると、電線押さえ金具３０５は、端子ネジ２０１の先端によって、電線挿入用孔部３０３ｂ内に挿入された電線の方向へ付勢され、当該電線に押し当てられる。黄銅製のリング状部材３０４および電線押さえ金具３０５は、計量部に対して電気的に接続されている。
【００４５】
端子ネジ２０１は、セラミック材料を用いて形成されている。セラミック（セラミックス：ｃｅｒａｍｉｃｓ）は、金属酸化物を基本成分とする、高温での熱処理によって焼き固めた焼結体であり、絶縁性（非導電性）を備えている。また、端子ネジ２０１は、ネジ穴に螺合して締め込んだ場合に、変形することなく電線押さえ金具３０５を電線に押し当てることができる硬度を備えている。
【００４６】
また、端子ネジ２０１は、第１の端子１Ｓ、２Ｓ、３Ｓや第２の端子１Ｌ、２Ｌ、３Ｌに対する電線の接続に際して、ドライバーなどの工具を用いて回される。このため、端子ネジ２０１は、端子ネジ２０１を回すためのドライバーによって変形することがないように、端子ネジ２０１を回すためのドライバーよりも硬度の高い材料を用いて形成されている。
【００４７】
電力量計１００において、端子ネジ２０１は、セラミック材料を用いて形成されているものに限らない。端子ネジ２０１は、絶縁性（非導電性）および所定の硬度を備えた材料を用いて形成されていればよい。端子ネジ２０１は、たとえば、セラミック材料に代えて、所定の硬度を有するプラスチック材料を用いて形成されていてもよい。セラミック材料を用いることにより、プラスチック材料を用いるよりも、硬度が高く、耐熱性に優れた端子ネジ２０１を提供することができる。
【００４８】
図３において、符号３１０は、たとえば、電圧測定や屋内電気配線の絶縁抵抗値の測定などの各種の測定作業に際して、測定器が備える測定用端子（図示を省略する）が挿入される測定用孔部を示している。測定用端子が測定用孔部３１０に挿入されることにより、測定用端子と電線押さえ金具３０５とが電気的に接続される。これにより、電力量計１００における計量部と測定用端子とを電気的に接続することができる。
【００４９】
（従来の電力量計）
つぎに、従来の電力量計について説明する。図４は、従来の電力量計の一例を示す説明図である。図４においては、従来の電力量計における接続端子台の断面を示している。図４において、この発明にかかる実施の形態の電力量計１００と同一部分は同一符号で示し、説明を省略する。
【００５０】
図４において、従来の電力量計４００は、この発明にかかる実施の形態の電力量計１００と比較して、セラミック製の端子ネジ２０１に代えて、黄銅製の端子ネジ４０１を備えていた。端子ネジ４０１は、黄銅製であるため導電性を有している。また、従来の電力量計４００は、この発明にかかる実施の形態の電力量計１００と比較して、電線押さえ金具３０５を備えておらず、端子ネジ４０１の先端が、電線挿入用孔部３０３ｂ内に挿入された電線４０２の外周面に直接当接する構成とされていた。
【００５１】
すなわち、従来の電力量計４００においては、導電性を有する端子ネジ４０１が外部に露出しており、この端子ネジ４０１に対して、金属製のドライバなどを接触させることによって作業をおこなっていた。このため、隣り合う端子ネジ４０１どうしがドライバを介して短絡してしまうことがあった。また、従来の電力量計４００においては、導電性を有する異物が端子ネジ４０１とネジ孔３０２との間に嵌り込み、この異物によって短絡が発生することがあった。
【００５２】
また、従来の電力量計４００においては、電線挿入用孔部３０３ｂ内に挿入された電線４０２が、黄銅製の端子ネジ４０１の先端によって黄銅製リング状部材３０４に当接するように付勢される構成とされていた。このため、ネジ孔３０２に螺合された端子ネジ４０１を締め込んだ場合、電線４０２に対しては局所的に集中して力が作用していた。これにより、長期間使用したり、電線４０２の取り外しや接続を繰り返した場合に、電線４０２が劣化しやすいという問題があった。このような問題に対して、この発明にかかる実施の形態の電力量計１００は、以下のような効果を備えている。
【００５３】
（電線の接続方法）
つぎに、この発明にかかる実施の形態の電力量計１００に対する電線４０２の接続方法について説明する。図５は、この発明にかかる実施の形態の電力量計１００に対する電線４０２の接続方法を示す説明図である。
【００５４】
図５において、この発明にかかる実施の形態の電力量計１００に対して、電線４０２を接続する際には、接続対象とする電線４０２の先端を、該当する電線挿入部３０３における電線挿入用孔部３０３ｂ内に挿入する。接続対象とする電線４０２の先端は、電線押さえ金具３０５の一面側に対向する位置（端子ネジ２０１の先端とは反対側）に挿入する。
【００５５】
接続対象とする電線４０２の先端は、絶縁性の被覆を取り除き、導電性の芯線を露出させておく。導電性の芯線は、電線挿入用孔部３０３ｂに対する電線４０２の挿入方向において、電線押さえ金具３０５の長さと同程度の長さ、あるいは、電線押さえ金具３０５の長さよりも若干短い長さで露出させることが好ましい。
【００５６】
つぎに、ドライバなどの工具を用いて、ネジ孔３０２に螺合された端子ネジ２０１を、締め込む方向に回転させる。これにより、端子ボックス３０１の内側に入り込む端子ネジ２０１の先端によって押されて、電線押さえ金具３０５が電線４０２に当接する方向へ移動する。端子ネジ２０１は、電線４０２を或る程度の力で引っ張った場合にも、電線挿入部３０３における電線挿入用孔部３０３ｂ内に挿入された電線４０２が当該電線挿入用孔部３０３ｂから抜けない程度に、電線押さえ金具３０５によって押さえつけられる状態になるまで締め込むことが好ましい。
【００５７】
電線押さえ金具３０５は導電性を有する材料を用いて形成されているため、電線挿入部３０３における電線挿入用孔部３０３ｂ内に挿入された電線４０２に電線押さえ金具３０５が押し当てられることにより、電線４０２と電線押さえ金具３０５とが電気的に接続される。電線押さえ金具３０５は、電線４０２に対して面で接触するため、電線４０２と電線押さえ金具３０５とを確実に接触させ、電線４０２と計量部とを確実に電気的に接続することができる。
【００５８】
また、電線押さえ金具３０５は、ネジ孔３０２に螺合された端子ネジ２０１が締め込まれることによって電線４０２に接触した状態で、さらに、ネジ孔３０２に螺合された端子ネジ２０１が締め込まれると、接触している電線４０２を黄銅製のリング状部材３０４に押し当てる。電線４０２は、電線押さえ金具３０５によって面で付勢されることによって黄銅製のリング状部材３０４に対して面（あるいは線）接触する。これによって、電線４０２と黄銅製のリング状部材３０４とを確実に接触させ、電線４０２と計量部とを確実に電気的に接続することができる。
【００５９】
以上説明したように、この実施の形態の電力量計１００は、電源に接続される第１の端子１Ｓ、２Ｓ、３Ｓと、負荷に接続される第２の端子１Ｌ、２Ｌ、３Ｌと、第１の端子１Ｓ、２Ｓ、３Ｓと第２の端子１Ｌ、２Ｌ、３Ｌとの間に設けられ、電源から負荷に流れた電流に基づいて電力量の積算値を計量する計量部と、第１の端子１Ｓ、２Ｓ、３Ｓおよび第２の端子１Ｌ、２Ｌ、３Ｌに対応づけてそれぞれ設けられ、第１の端子１Ｓ、２Ｓ、３Ｓおよび第２の端子１Ｌ、２Ｌ、３Ｌに接続される電線４０２を、当該電線４０２が第１の端子１Ｓ、２Ｓ、３Ｓおよび第２の端子１Ｌ、２Ｌ、３Ｌに接触した状態で固定するネジを実現する端子ネジ２０１と、を備え、端子ネジ２０１が、非導電性材料を用いて形成されていることを特徴としている。
【００６０】
この実施の形態の電力量計１００によれば、充電部分に触れることなく電力量計１００の交換（設置、取り外しを含む）作業をおこなうことができる。これによって、電力量計１００の交換作業に従事する作業者の負担の低減を図るとともに、当該交換作業に際しての安全性の向上を図ることができる。
【００６１】
また、この実施の形態の電力量計１００は、端子ネジ２０１が、セラミック材料を用いて形成されていることを特徴としている。この実施の形態の電力量計１００によれば、端子ネジ２０１の絶縁性を確保するとともに、当該端子ネジ２０１の強度を確保することができる。これによって、たとえば屋外で使用する際に、従来の金属製の端子ネジと比較して風雨による劣化、端子ネジの劣化による電力量計の劣化を抑制することができる。
【００６２】
また、この実施の形態の電力量計１００は、電線４０２の挿入が可能な複数の凹部を実現する電線挿入用孔部３０３ｂが設けられた端子ボックス３０１を備え、第１の端子１Ｓ、２Ｓ、３Ｓおよび第２の端子１Ｌ、２Ｌ、３Ｌは、電線挿入用孔部３０３ｂ内に設けられ、端子ネジ２０１が、先端が電線挿入用孔部３０３ｂ内に位置づけられるように電線４０２の挿入方向に交差する方向から端子ボックス３０１に螺合されていることを特徴とする。
【００６３】
また、この実施の形態の電力量計１００は、端子ネジ２０１の先端と電線４０２との間に設けられ、導電性材料を用いて形成された電線押さえ部材を実現する電線押さえ金具３０５を備え、端子ネジ２０１が、締め付けられることによって電線押さえ金具３０５が電線４０２に当接する方向に当該電線押さえ金具３０５を付勢することを特徴としている。
【００６４】
この実施の形態の電力量計１００によれば、端子ネジ２０１の先端によって電線４０２を固定する場合と比較して、電線４０２を確実に固定することができるとともに、電気的な接続を確実におこなうことができる。
【００６５】
また、この実施の形態の電力量計１００は、電線押さえ金具３０５が、電線４０２の外周形状に沿って湾曲した湾曲面を備え、当該湾曲面を電線４０２に対向させた状態で設けられていることを特徴とする。この実施の形態の電力量計１００によれば、電線押さえ金具３０５と電線挿入用孔部３０３ｂに挿入された電線４０２との電気的な接続を確実におこなうことができる。
【産業上の利用可能性】
【００６６】
以上のように、この発明にかかる電力量計は、電力を積算し計量する電力量計に有用であり、特に、交換作業に従事する作業者の負担の低減や当該交換作業に際しての安全性を配慮した電力量計に適している。
【符号の説明】
【００６７】
１００  電力量計
１２０  接続端子台
２０１  端子ネジ
３０１  端子ボックス
３０３ｂ  電線挿入用孔部
３０５  電線押さえ金具
１Ｓ、２Ｓ、３Ｓ  第１の端子
１Ｌ、２Ｌ、３Ｌ  第２の端子
【図１】
2011226890.tif 000003
【図２】
2011226890.tif 000004
【図３】
2011226890.tif 000005
【図４】
2011226890.tif 000006
【図５】
2011226890.tif 000007